(57)【要約】【課題】良好なフィット性や着用性を実現可能なパンツ型吸収性物品を提供する。【解決手段】吸収性コア（１１Ａ）を備えた吸収性本体（１０）を有し、吸収性本体（１０）が前記前後方向の所定位置（ＦＬ）にて二つ折りにされ、一対の脚回り開口部（ＬＨ）が形成されているパンツ型吸収性物品（１）であって、左右方向において、脚回り弾性部材（１７）よりも内側、かつ、吸収性コア（１１Ａ）の外縁よりも外側には、脚回り開口部（ＬＨ）に沿って伸縮可能な内側弾性部材（１８）が設けられており、上下方向において、所定位置（ＦＬ）よりも前側で内側弾性部材（１８）の伸縮性が発現している部分の長さは、所定位置（ＦＬ）よりも後側で内側弾性部材（１８）の伸縮性が発現している部分の長さよりも長い。【選択図】図３
2019198590.tif 000002
【特許請求の範囲】
【請求項１】
互いに交差する上下方向と左右方向と前後方向とを有し、
吸収性コアを備えた吸収性本体を有し、
前記吸収性本体が前記前後方向の所定位置にて二つ折りにされ、一対の脚回り開口部が形成されているパンツ型吸収性物品であって、
前記左右方向において、
前記脚回り開口部に沿って伸縮可能な脚回り弾性部材が設けられており、
前記脚回り弾性部材よりも内側、かつ、前記吸収性コアの外縁よりも外側には、前記脚回り開口部に沿って伸縮可能な内側弾性部材が設けられており、
前記上下方向において、前記所定位置よりも前側で前記内側弾性部材の伸縮性が発現している部分の長さは、前記所定位置よりも後側で前記内側弾性部材の伸縮性が発現している部分の長さよりも長い、ことを特徴とするパンツ型吸収性物品。
【請求項２】
請求項１に記載のパンツ型吸収性物品であって、
前記前後方向において、前記内側弾性部材の伸縮性が発現している部分の後側端は、前記所定位置よりも前側に位置している、ことを特徴とするパンツ型吸収性物品。
【請求項３】
請求項１に記載のパンツ型吸収性物品であって、
前記前後方向において、前記内側弾性部材の伸縮性が発現している部分の後側端は、前記所定位置と同じ若しくは前記所定位置よりも後側に位置している、ことを特徴とするパンツ型吸収性物品。
【請求項４】
請求項１〜３のいずれか１項に記載のパンツ型吸収性物品であって、
前記吸収性コアは、前記左右方向の幅が、前側上端部及び後側上端部における前記左右方向の幅よりも狭くなっているくびれ部を有しており、
前記上下方向において、前記内側弾性部材の伸縮性が発現している部分の後側端は、前記くびれ部の後側上端よりも下側に位置している、ことを特徴とするパンツ型吸収性物品。
【請求項５】
請求項１〜４のいずれか１項に記載のパンツ型吸収性物品であって、
前記吸収性コアは、前記左右方向の幅が、前側上端部及び後側上端部における前記左右方向の幅よりも狭くなっているくびれ部を有しており、
前記上下方向において、前記内側弾性部材の伸縮性が発現している部分の前側端は、前記くびれ部の前側上端よりも下側に位置している、ことを特徴とするパンツ型吸収性物品。
【請求項６】
請求項１〜５のいずれか１項に記載のパンツ型吸収性物品であって、
前記吸収性コアは、前記左右方向の幅が、前側上端部及び後側上端部における前記左右方向の幅よりも狭くなっているくびれ部を有しており、
前記上下方向において、
前記内側弾性部材の伸縮性が発現している部分の前側端と、前記くびれ部の前側上端との間の距離は、
前記内側弾性部材の伸縮性が発現している部分の後側端と、前記くびれ部の後側上端との間の距離よりも短い、
ことを特徴とするパンツ型吸収性物品。
【請求項７】
請求項１〜６のいずれか１項に記載のパンツ型吸収性物品であって、
前記吸収性本体の前側上端部に接合された前側ベルト部を有し、
前記前側ベルト部には、前記左右方向に伸縮可能な胴回り弾性部材が設けられており、
前記内側弾性部材の伸縮性が発現している部分の少なくとも一部は、前記胴回り弾性部材と交差している、ことを特徴とするパンツ型吸収性物品。
【請求項８】
請求項１〜７のいずれか１項に記載のパンツ型吸収性物品であって、
前記吸収性本体の前記左右方向の両側に設けられ、肌側に起立可能な一対の防漏壁部を有し、
少なくとも前記前後方向の中央よりも前側の第１位置において、前記防漏壁部が起立する起点となる第１起立起点は、
前記第１位置よりも前記前後方向の後側の第２位置において、前記防漏壁部が起立する起点となる第２起立起点よりも、前記左右方向の内側に位置している、ことを特徴とするパンツ型吸収性物品。
【請求項９】
請求項８に記載のパンツ型吸収性物品であって、
前記防漏壁部は、
前記左右方向の外側端部において前記上下方向に沿って設けられた第１接合領域と、
前記吸収性本体の前側上端部及び後側上端部、かつ、前記左右方向において前記第１接合領域よりも内側に設けられ、前記防漏壁部を起立不能に固定する第２接合領域と、
少なくとも、前記上下方向において前記吸収性本体の前記前側上端部に設けられた前記第２接合領域の下端と前記吸収性本体の下端との間、かつ、前記左右方向において前記第１接合領域と前記第２接合領域との間に設けられた第３接合領域と、
によって、前記吸収性本体に接合されており、
前記第１位置は、前記上下方向において、前記第３接合領域と重複する位置である、ことを特徴とするパンツ型吸収性物品。
【請求項１０】
請求項９に記載のパンツ型吸収性物品であって、
前記上下方向において、前記所定位置よりも前側における前記第３接合領域の長さは、前記所定位置よりも後側における前記第３接合領域の長さよりも長い、ことを特徴とするパンツ型吸収性物品。
【請求項１１】
請求項９または１０に記載のパンツ型吸収性物品であって、
前記左右方向において、前記内側弾性部材は、前記第１接合領域よりも内側に位置している、ことを特徴とするパンツ型吸収性物品。
【請求項１２】
請求項９〜１１のいずれか１項に記載のパンツ型吸収性物品であって、
前記左右方向において、前記内側弾性部材は、前記第３接合領域よりも内側に位置している、ことを特徴とするパンツ型吸収性物品。
【請求項１３】
請求項９〜１２のいずれか１項に記載のパンツ型吸収性物品であって、
前記上下方向において、
前記内側弾性部材の伸縮性が発現している部分の後側端は、
前記吸収性本体の後側上端に設けられた前記第２接合領域の下端と、前記吸収性本体の下端との中間よりも下側に位置している、ことを特徴とするパンツ型吸収性物品。
【請求項１４】
請求項９〜１２のいずれか１項に記載のパンツ型吸収性物品であって、
前記前後方向において、前記第３接合領域の後側端は、前記所定位置よりも前側に位置している、ことを特徴とするパンツ型吸収性物品。
【請求項１５】
請求項１４に記載のパンツ型吸収性物品であって、
前記上下方向において、前記内側弾性部材の伸縮性が発現している部分の後側端は、前記第３接合領域の後側端よりも上側に位置している、ことを特徴とするパンツ型吸収性物品。
【請求項１６】
請求項１〜１５いずれか１項に記載のパンツ型吸収性物品であって、
前記吸収性コアよりも非肌側に積層された外装シートを有し、
前記内側弾性部材は、前記外装シートに設けられている、ことを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、パンツ型使い捨ておむつが知られている。特許文献１には、前身頃外装体（前側ベルト部）と後身頃外装体（後側ベルト部）の間に吸収性本体が架橋され、前身頃外装体と後身頃外装体の幅方向両側縁が互いに接合され、腰周り開口部及び脚回り開口部が形成されたパンツ型使い捨ておむつが開示されている。この吸収性本体の幅方向の両側には、着用者の肌側に起立する立体ギャザー（防漏壁部）が設けられており、該立体ギャザーが起立する際に起立起点となる位置の近傍には、長手方向に沿った弾性伸縮部材が設けられている。
【先行技術文献】
【特許文献】
【０００３】
【特許文献１】特開２０１５−２２６８３１号
【発明の概要】
【発明が解決しようとする課題】
【０００４】
特許文献１のパンツ型使い捨ておむつでは、防漏壁部の起立起点近傍に弾性伸縮部材を設けることにより、防漏壁部が着用者の肌側に持ち上げられ、着用者の肌画との間に隙間が生じにくくなり、排泄物の漏れを抑制しやすくなる。しかしながら、着用者の身体には凹凸があるため、弾性伸縮部材の伸縮力によって持ち上げられた防漏壁部の位置が凹凸形状に応じて移動してしまう場合がある。特に、着用者の臀部は大きな曲面（凸形状）で構成されているため、防漏壁部のフィット位置が凸部の頂点から凹部側へずれやすくなる。例えば、防漏壁部が臀部の中央側に食い込むように移動してしまい、臀部におけるフィット性が悪化してしまうおそれがある。また、脚回り開口部の全体に亘って弾性伸縮部材による伸縮力が強く作用していると、おむつを着用する際に防漏壁部が着用者の脚や臀部の出っ張りに引っかかりやすくなり、着用性が悪化するおそれがある。
【０００５】
本発明は、上記のような従来の問題に鑑みてなされたものであって、その目的は、良好なフィット性や着用性を実現可能なパンツ型吸収性物品を提供することにある。
【課題を解決するための手段】
【０００６】
上記目的を達成するための主たる発明は、互いに交差する上下方向と左右方向と前後方向とを有し、吸収性コアを備えた吸収性本体を有し、前記吸収性本体が前記前後方向の所定位置にて二つ折りにされ、一対の脚回り開口部が形成されているパンツ型吸収性物品であって、前記左右方向において、前記脚回り開口部に沿って伸縮可能な脚回り弾性部材が設けられており、前記脚回り弾性部材よりも内側、かつ、前記吸収性コアの外縁よりも外側には、前記脚回り開口部に沿って伸縮可能な内側弾性部材が設けられており、前記上下方向において、前記所定位置よりも前側で前記内側弾性部材の伸縮性が発現している部分の長さは、前記所定位置よりも後側で前記内側弾性部材の伸縮性が発現している部分の長さよりも長い、ことを特徴とするパンツ型吸収性物品である。
本発明の他の特徴については、本明細書及び添付図面の記載により明らかにする。
【発明の効果】
【０００７】
本発明によれば、良好なフィット性や着用性を実現可能なパンツ型吸収性物品を提供することができる。
【図面の簡単な説明】
【０００８】
【図１】パンツ型使い捨ておむつ１（おむつ１）の概略斜視図である。
【図２】展開かつ伸長状態のおむつ１の平面図である。
【図３】吸収性本体１０及び防漏壁部５０構成について説明する平面図及び断面図である。
【図４】防漏壁部５０の接合領域５５，５６，５７、及び、内側弾性部材１８の配置を示す概略平面図である。
【図５】図４のＡ−Ａ断面についておむつ１着用時の状態を表した概略断面図である。
【図６】図４のＢ−Ｂ断面についておむつ１着用時の状態を表した概略断面図である。
【図７】図４のＣ−Ｃ断面についておむつ１着用時の状態を表した概略断面図である。
【図８】内側弾性部材１８と吸収性コア１１Ａのくびれ部１１ＡＣとの関係について説明する図である。
【図９】図９Ａ〜図９Ｃは、防漏壁部５０の変形例について説明する図である。
【発明を実施するための形態】
【０００９】
本明細書及び添付図面の記載により、少なくとも以下の事項が明らかとなる。
互いに交差する上下方向と左右方向と前後方向とを有し、吸収性コアを備えた吸収性本体を有し、前記吸収性本体が前記前後方向の所定位置にて二つ折りにされ、一対の脚回り開口部が形成されているパンツ型吸収性物品であって、前記左右方向において、前記脚回り開口部に沿って伸縮可能な脚回り弾性部材が設けられており、前記脚回り弾性部材よりも内側、かつ、前記吸収性コアの外縁よりも外側には、前記脚回り開口部に沿って伸縮可能な内側弾性部材が設けられており、前記上下方向において、前記所定位置よりも前側で前記内側弾性部材の伸縮性が発現している部分の長さは、前記所定位置よりも後側で前記内側弾性部材の伸縮性が発現している部分の長さよりも長い、ことを特徴とするパンツ型吸収性物品。
【００１０】
このようなパンツ型吸収性物品によれば、前後方向の前側（腹側）の広い範囲において、内側弾性部材による収縮力が作用することにより、脚回り開口部（サイドフラップ等）が肌側に持ち上げられ、着用者の鼠径部に沿って密着する。したがって、前側領域における脚回りのフィット性が高まる共に、尿等が漏出することを抑制しやすくなる。一方、前後方向の後側（背側）では内側弾性部材による収縮力が作用し難いため、臀部への締め付けが強くなったり、位置ずれが生じたりすることが抑制される。これにより、良好なフィット性や着用性を実現可能なパンツ型吸収性物品を提供することができる。
【００１１】
かかるパンツ型吸収性物品であって、前記前後方向において、前記内側弾性部材の伸縮性が発現している部分の後側端は、前記所定位置よりも前側に位置している、ことが望ましい。
【００１２】
このようなパンツ型吸収性物品によれば、着用者の臀部側において、内側弾性部材による伸縮性がより作用しにくくなるため、臀部側でのフィット性をより向上させることができる。また、脚回り開口部（サイドフラップ等）が肌側に持ち上げられる範囲が狭くなるため、パンツ型吸収性物品を着用する際に、着用者の脚が脚回り開口部に引っ掛かりにくくなり、着用性が向上する。
【００１３】
かかるパンツ型吸収性物品であって、前記前後方向において、前記内側弾性部材の伸縮性が発現している部分の後側端は、前記所定位置と同じ若しくは前記所定位置よりも後側に位置している、ことが望ましい。
【００１４】
このようなパンツ型吸収性物品によれば、所定位置において脚回り開口部（サイドフラップ等）が肌側に持ち上げられやすくなる。すなわち、着用者の股下において、吸収体が着用者の肌側に引き上げられやすくなり、股下部における吸収性やフィット性を向上させることができる。
【００１５】
かかるパンツ型吸収性物品であって、前記吸収性コアは、前記左右方向の幅が、前側上端部及び後側上端部における前記左右方向の幅よりも狭くなっているくびれ部を有しており、前記上下方向において、前記内側弾性部材の伸縮性が発現している部分の後側端は、前記くびれ部の後側上端よりも下側に位置している、ことが望ましい。
【００１６】
このようなパンツ型吸収性物品によれば、内側弾性部材による収縮力が作用する範囲を吸収性コアから遠ざけることにより、後側において、吸収性コアを左右方向や上下方向に収縮させにくくすることができる。これにより、着用者の臀部側でのフィット性を向上させることができる。
【００１７】
かかるパンツ型吸収性物品であって、前記吸収性コアは、前記左右方向の幅が、前側上端部及び後側上端部における前記左右方向の幅よりも狭くなっているくびれ部を有しており、前記上下方向において、前記内側弾性部材の伸縮性が発現している部分の前側端は、前記くびれ部の前側上端よりも下側に位置している、ことが望ましい。
【００１８】
このようなパンツ型吸収性物品によれば、前側において、吸収性コアを左右方向や上下方向に収縮させにくくすることができる。これにより、着用者の腹部に対して吸収性コアが面でフィットしやすくなり、腹部におけるフィット性を向上させることができる。
【００１９】
かかるパンツ型吸収性物品であって、前記吸収性コアは、前記左右方向の幅が、前側上端部及び後側上端部における前記左右方向の幅よりも狭くなっているくびれ部を有しており、前記上下方向において、前記内側弾性部材の伸縮性が発現している部分の前側端と、前記くびれ部の前側上端との間の距離は、前記内側弾性部材の伸縮性が発現している部分の後側端と、前記くびれ部の後側上端との間の距離よりも短い、ことが望ましい。
【００２０】
このようなパンツ型吸収性物品によれば、内側弾性部材による伸縮性の影響が、臀部側ではより作用しにくく、腹側ではより作用しやすくなる。すなわち、臀部側では内側弾性部材による締め付けが緩くなり、吸収性コアが面形状を維持しやすくなる。一方、腹側では吸収性のくびれ部の広い範囲に亘って内側弾性部材による収縮力が作用するため、脚回り開口部（サイドフラップ等）が肌側に持ち上げられやすくなり、フィット性が向上する。
【００２１】
かかるパンツ型吸収性物品であって、前記吸収性本体の前側上端部に接合された前側ベルト部を有し、前記前側ベルト部には、前記左右方向に伸縮可能な胴回り弾性部材が設けられており、前記内側弾性部材の伸縮性が発現している部分の少なくとも一部は、前記胴回り弾性部材と交差している、ことが望ましい。
【００２２】
このようなパンツ型吸収性物品によれば、パンツ型吸収性物品の着用時において、胴回り弾性部材の収縮力によって、内側弾性部材の前側端が上下方向の上側かつ、左右方向の外側に引っ張られ、内側弾性部材を介して吸収性本体が上方に引き上げられるようになる。これにより、前側（腹側）において、吸収性コアが下側にずり落ち難くなると共に、脚回り開口部（サイドフラップ等）を着用者の肌側に持ち上げる効果が大きくなる。
【００２３】
かかるパンツ型吸収性物品であって、前記吸収性本体の前記左右方向の両側に設けられ、肌側に起立可能な一対の防漏壁部を有し、少なくとも前記前後方向の中央よりも前側の第１位置において、前記防漏壁部が起立する起点となる第１起立起点は、前記第１位置よりも前記前後方向の後側の第２位置において、前記防漏壁部が起立する起点となる第２起立起点よりも、前記左右方向の内側に位置している、ことが望ましい。
【００２４】
このようなパンツ型吸収性物品によれば、後側の第２位置において防漏壁部を高く起立させることにより、吸収性本体と着用者の身体との間で便を貯留することが可能な空間を広く設け、便の漏出を抑制できる。また、前側の第１位置において防漏壁部の起立高さを低く抑えることで、尿の横漏れを抑制しやすくすると共に、フィット性を高めることができる。
【００２５】
かかるパンツ型吸収性物品であって、前記防漏壁部は、前記左右方向の外側端部において前記上下方向に沿って設けられた第１接合領域と、前記吸収性本体の前側上端部及び後側上端部、かつ、前記左右方向において前記第１接合領域よりも内側に設けられ、前記防漏壁部を起立不能に固定する第２接合領域と、少なくとも、前記上下方向において前記吸収性本体の前記前側上端部に設けられた前記第２接合領域の下端と前記吸収性本体の下端との間、かつ、前記左右方向において前記第１接合領域と前記第２接合領域との間に設けられた第３接合領域と、によって、前記吸収性本体に接合されており、前記第１位置は、前記上下方向において、前記第３接合領域と重複する位置である、ことが望ましい。
【００２６】
このようなパンツ型吸収性物品によれば、第３接合領域を起立起点とする防漏壁部の起立高さを、第１接合領域を起立起点とする防漏壁部の起立高さよりも低くすることができる。したがって、各接合領域を適当に設けることにより、前側（腹側）及び後側（背側）において、排泄物の漏出をより効率的に抑制することが可能となり、また、防漏壁部のフィット性を調整しやすくなる。
【００２７】
かかるパンツ型吸収性物品であって、前記上下方向において、前記所定位置よりも前側における前記第３接合領域の長さは、前記所定位置よりも後側における前記第３接合領域の長さよりも長い、ことが望ましい。
【００２８】
このようなパンツ型吸収性物品によれば、３接合領域を起立起点として防漏壁部が起立可能な領域が、所定位置よりも前側において広くなる。すなわち、前側において防漏壁部を低く起立させる領域が広くなり、吸収体と着用者の身体との間隔を狭くしつつ、防漏壁部をしっかり起立させやすくなる。これにより、前側における尿漏れを抑制しやすくなる。
【００２９】
かかるパンツ型吸収性物品であって、前記左右方向において、前記内側弾性部材は、前記第１接合領域よりも内側に位置している、ことが望ましい。
【００３０】
このようなパンツ型吸収性物品によれば、防漏壁部が肌側に起立する際に左右方向の最も外側における起立起点（第１接合領域）よりも内側に内側弾性部材による伸縮力が作用する。これにより、防漏壁部が肌側に持ち上げられやすくなり、フィット性を向上させることができる。
【００３１】
かかるパンツ型吸収性物品であって、前記左右方向において、前記内側弾性部材は、前記第３接合領域よりも内側に位置している、ことが望ましい。
【００３２】
このようなパンツ型吸収性物品によれば、防漏壁部が肌側に起立する際に左右方向の最も内側における起立起点（第３接合領域）よりも内側に内側弾性部材による伸縮力が作用する。これにより、防漏壁部の全体が肌側に持ち上げられやすくなり、フィット性をより向上させることができる。
【００３３】
かかるパンツ型吸収性物品であって、前記上下方向において、前記内側弾性部材の伸縮性が発現している部分の後側端は、前記吸収性本体の後側上端に設けられた前記第２接合領域の下端と、前記吸収性本体の下端との中間よりも下側に位置している、ことが望ましい。
【００３４】
このようなパンツ型吸収性物品によれば、後側において防漏壁部が起立可能な領域のうち、少なくとも半分以上の領域で内側弾性部材による伸縮力が作用しなくなる。したがって、防漏壁部が肌側に持ち上げられない領域が広くなり、着用者の身体と吸収体との間の間隔を広く保つこと可能となり、便を保持できる空間を広く形成することができる。
【００３５】
かかるパンツ型吸収性物品であって、前記前後方向において、前記第３接合領域の後側端は、前記所定位置よりも前側に位置している、ことが望ましい。
【００３６】
このようなパンツ型吸収性物品によれば、後側において防漏壁部の起立高さが低くなってしまうことが抑制される。
【００３７】
かかるパンツ型吸収性物品であって、前記上下方向において、前記内側弾性部材の伸縮性が発現している部分の後側端は、前記第３接合領域の後側端よりも上側に位置している、ことが望ましい。
【００３８】
このようなパンツ型吸収性物品によれば、パンツ型吸収性物品の後側では内側弾性部材による収縮力が作用せず、防漏壁部が肌側に持ち上げられにくくなっているため、便を保持できる空間をより広く形成しやすくなると共に、フィット性を向上させやすくすることができる。
【００３９】
かかるパンツ型吸収性物品であって、前記吸収性コアよりも非肌側に積層された外装シートを有し、前記内側弾性部材は、前記外装シートに設けられている、ことが望ましい。
【００４０】
このようなパンツ型吸収性物品によれば、外装シートによって形成されるサイドフラップに対して、内側弾性部材の伸縮力を直接作用させることで、該サイドフラップが肌側に持ち上げられやすくなり、脚回り開口部のフィット性が向上する。
【００４１】
＝＝＝実施形態＝＝＝
本実施形態に係るパンツ型吸収性物品として、乳幼児用のパンツ型使い捨ておむつを例に挙げて説明する。但し、パンツ型吸収性物品は、乳幼児用の使い捨ておむつに限らず、大人用の使い捨ておむつや、生理用ショーツ等としても利用可能である。
【００４２】
＜パンツ型使い捨ておむつ１の構成＞
図１は、パンツ型使い捨ておむつ１（以下、単に「おむつ１」とも呼ぶ）の概略斜視図である。図２は、展開かつ伸長状態のおむつ１の平面図である。図３は、吸収性本体１０及び防漏壁部５０構成について説明する平面図及び断面図である。
【００４３】
おむつ１は、図１に示すパンツ型状態において、互いに交差する上下方向、左右方向、及び前後方向を有し、胴回り開口部ＢＨ、及び、一対の脚回り開口部ＬＨが形成されている。上下方向において、胴回り開口部ＢＨ側を上側とし、股下側を下側とする。また、図３の断面図に示すように、おむつ１を構成する資材が積層された方向を厚さ方向といい、厚さ方向において着用者の身体（肌）と接触する側を肌側といい、着用者の身体（肌）と接触しない側を非肌側という。
【００４４】
また、おむつ１の「伸長状態」とは、おむつ１が備える各弾性部材（例えば、後述する脚回り弾性部材１７や胴回り弾性部材２３，３３等）を伸長させることにより、おむつ１全体（製品全体）を皺なく伸長させた状態、具体的には、おむつ１を構成する各部材（例えば、後述する吸収性本体１０や，ベルト部３０，４０等）の寸法がその部材単体の寸法と一致又はそれに近い寸法になるまで伸長させた状態のことを言う。
【００４５】
おむつ１は、平面視長方形状の３部材である、吸収性本体１０、前側ベルト部２０、及び、後側ベルト部３０を有する。前側ベルト部２０（腹側胴回り部）は着用者の腹側部に当てられ、後側ベルト部３０（背側胴回り部）は着用者の背側部に当てられる。
【００４６】
図２に示す展開状態のおむつ１において、前側ベルト部２０及び後側ベルト部３０は、それらの長手方向がおむつ１の左右方向に沿うように配置されている。そして、左右方向における前側ベルト部２０の中央部に、吸収性本体１０の長手方向一方側（前側）の端部が配置され、左右方向における後側ベルト部３０の中央部に、吸収性本体１０の長手方向他方側（後側）の端部が配置されている。
【００４７】
図２に示す展開状態のおむつ１において、吸収性本体１０の長手方向がおむつ１の上下方向に沿うように、吸収性本体１０が長手方向の所定位置（前後方向の所定位置でもある）ＦＬにて二つ折りされ、前側ベルト部２０と後側ベルト部３０とが左右方向の両端部にて、熱溶着や超音波溶着等の接合手段を用いて接合され、一対の接合領域２が形成される。これにより、おむつ１は、胴回り開口部ＢＨ及び一対の脚回り開口部ＬＨを有するパンツ型状態（図１参照）となる。なお、所定位置ＦＬは、パンツ型状態のおむつ１においては、上下方向の下端であって、前後方向の中央となる位置である。
【００４８】
吸収性本体１０は、図３に示すように、吸収体１１と、吸収体１１よりも肌側に配置された液透過性のトップシート１２と、吸収体１１よりも非肌側に配置され、吸収性本体１０の外装をなすバックシート１３と、を備えている。また、吸収体１１の左右方向の両側には、一対の防漏壁部５０が設けられている。
【００４９】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。一方、コアラップシート１１Ｂとしては、例えばティッシュペーパーを例示できる。
【００５０】
本実施形態の吸収性コア１１Ａは、長手方向の前側端部と後側端部（上下方向における前側上端部と後側上端部）との間に、該前側端部及び後側端部と比較して左右方向における長さが短くなった（幅が狭くなった）くびれ部１１ＡＣを有しており、図３に示されるように平面視略砂時計型の形状となっている。このくびれ部１１ＡＣは、おむつ１の着用時において着用者の両脚に挟まれる部分であり、当該部分の左右方向における長さが短く（幅が狭く）なっていることにより、吸収性コア１１Ａが着用者の股間にフィットしやすくなる。
【００５１】
トップシート１２は、吸収体１１を肌側から覆うシート状の部材であり、例えば吸収体１１よりも大きい平面サイズの液透過性の不織布により形成される。
【００５２】
バックシート１３は、吸収体１１を非肌側から覆うシート状の部材であり、吸収体１１より大きい平面サイズのシート部材である。バックシート１３は、例えば、ポリエチレン又はポリプロピレン等の液不透過性の防漏シートであるバックフィルム１３ａと、バックフィルム１３ａを非肌側に設けられた不織布等の外装シート１３ｂとからなる二層構造のシート部材である。
【００５３】
外装シート１３ｂは、左右方向において吸収体１１の両側の端１１ｅｓ，１１ｅｓから外側に大きく延出した延出部１３ｂｆを有している。この延出部１３ｂｆが、吸収性本体１０の左右方向両側の端１０ｅｓ，１０ｅｓを折り返し位置として左右方向の内側かつ厚さ方向の肌側に折り返され、厚さ方向に重ね合わされることによってサイドフラップＳＦが形成されている。サイドフラップＳＦでは、厚さ方向に折り重ねられた外装シート１３ｂｆ，１３ｂｆの間に、糸ゴム等の複数の脚回り弾性部材１７，１７…が、各々上下方向に伸長された状態で左右方向に所定の間隔を空けて固定されている。これにより、サイドフラップＳＦに対して、上下方向（吸収性本体１０の長手方向）に沿った伸縮性が付与される。そして、複数の脚回り弾性部材１７，１７が横方向に並んで配置されていることにより、サイドフラップＳＦは、図１のように吸収性本体１０の左右方向の両側から平面を維持しつつ左右方向の外側に張り出した形状となる。したがって、おむつ１の着用時において、サイドフラップＳＦが着用者の脚繰りに沿って面でフィットしやすくなり、脚回り開口部ＬＨから排泄物等が漏出することを抑制しやすくなる。
【００５４】
また、図３に示されるように、左右方向において、脚回り弾性部材１７よりも内側、かつ、吸収性コア１１Ａの外縁よりも外側には、糸ゴム等の内側弾性部材１８が、上下方向に伸長された状態で外装シート１３ｂに固定されている。本実施形態では、図３の破線で示される範囲において内側弾性部材１８による伸縮性が発現している。すなわち、所定位置ＦＬよりも前側の領域で内側弾性部材１８による伸縮性が発現している部分の長さが、所定位置ＦＬよりも後側で、内側弾性部材１８による伸縮性が発現している部分の長さよりも長くなっている。
【００５５】
詳細については後述するが、おむつ１の着用持には、内側弾性部材１８による伸縮性が作用する領域において、サイドフラップＳＦ（バックシート１３）が着用者の肌側に押し上げられる。これにより、サイドフラップＳＦ等が着用者の鼠蹊部に沿ってフィットしやすくなる。また、内側弾性部材１８による伸縮性が作用する領域は、後述する防漏壁部５０が肌側に起立する際の起立起点となる領域に近いため、おむつ１の着用時には、内側弾性部材１８によって防漏壁部５０自体も肌側に押し上げられ、防漏壁部５０が着用者の脚繰りに沿ってフィットしやすくなり、排泄物（尿等）の横漏れを効果的に抑制することができる
【００５６】
防漏壁部５０は、吸収体１１の左右方向の両側かつ厚さ方向の肌側に設けられている。おむつ１の着用時には、該防漏壁部５０が、吸収体１１の左右方向の両側から着用者の肌側に起立することにより、排泄物が吸収性本体１０の外側に漏出することを抑制する。
【００５７】
本実施形態の防漏壁部５０は、防漏壁シート５１及び、複数の防漏壁弾性部材５２を有している。防漏壁シート５１は、柔軟性を有する矩形状のシート部材であり、例えば不織布等によって構成されている。そして、吸収性本体１０の左右方向の両端部において、上下方向（吸収性本体１０の長手方向）に沿って接合され、図３に示されるように、左右方向の内側端５０ｉｓにて左右方向の外側に折り返されている。内側端５０ｉｓにて折り返され、厚さ方向に重ね合わされた防漏壁シート５１，５１の間には、糸ゴム等の複数の防漏壁弾性部材５２，５２…が、上下方向に伸長された状態で左右方向に所定の間隔を空けて固定されている。これにより、防漏壁部５０に対して、上下方向（長手方向）に沿った伸縮性が付与され、おむつ１の着用時においては、該伸縮性に基づいて防漏壁部５０の左右方向の内側端部（内側端５０ｉｓ）が着用者の肌側に起立する。
【００５８】
また、防漏壁部５０は、図３の斜線部で示されるように、ホットメルト接着剤等の接合材によって形成された第１接合領域５５，第２接合領域５６，及び第３接合領域５７によって吸収性本体１０と接合されている。第１接合領域５５は、防漏壁部５０の左右方向の外側端部において、上下方向（吸収性本体１０の長手方向）に沿って設けられた帯状の領域であり、防漏壁部５０をサイドフラップＳＦの肌側面に接合している。第２接合領域５６は、吸収性本体１０の前後の上端部に設けられ、防漏壁部５０の長手方向の両端部を吸収体１１（トップシート１２）の肌側面に接合している。以下の説明では、吸収性本体１０の前側上端部に設けられた第２接合領域５６を前側第２接合領域５６ｆ、後側上端部に設けられた第２接合領域５６を後側第２接合領域５６ｂとも呼ぶ。第３接合領域５７は、少なくとも、上下方向において前側第２接合領域５６ｆの下端５６ｆｅｄと吸収性本体１０の下端（すなわち、所定位置ＦＬ）との間、かつ、左右方向において第１接合領域５５と第２接合領域５６との間に設けられている。本実施形態では、複数種類の接合領域５５〜５７を設けることにより、おむつ１着用時における防漏壁部５０の起立高さ等を調整することができる。防漏壁部５０の起立については後で説明する。
【００５９】
前側ベルト部２０及び後側ベルト部３０は、それぞれ、内層シート２１，３１と、内層シート２１，３１に積層された外層シート２２，３２と、複数の胴回り弾性部材２３，３３とを有する。
【００６０】
外層シート２２，３２は内層シート２１，３１よりも非肌側に配置されている。内層シート２１，３１及び外層シート２２，３２は吸収性本体１０よりも非肌側に配置されている。内層シート２１，３１及び外層シート２２，３２単体は、おむつ１の左右方向の伸縮性を実質的に有さない非伸縮性シートである。内層シート２１，３１及び外層シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００６１】
複数の胴回り弾性部材２３，３３は、内層シート２１，３１と外層シート２２，３２の間において、上下方向に並んで配置されるとともに、左右方向に伸長した状態で固定されている。よって、前側ベルト部２０及び後側ベルト部３０は左右方向に伸縮し、着用者の胴回りにフィットする。胴回り弾性部材２３，３３としては、ゴムやスパンデックス等の糸状弾性部材を例示できる。
【００６２】
本実施形態の後側ベルト部３０では、上端部から下端部に亘って胴回り弾性部材３３が配置されている。一方、前側ベルト部２０の上端部には、胴回り弾性部材２３が配置されておらず、代わりに、左右方向に伸縮する伸縮性シート２４が配置されている。このように、前側ベルト部２０の上端部に胴回り弾性部材２３を配置せずに伸縮性シート２４を配置することで、前側ベルト部２０の上端部が着用者の身体（肌）に面で密着しやすくなる。これにより、局所的な締め付けが抑えられ、着用者の肌に伸縮部材の跡を残り難くすることができる。特に、おむつ１の着用対象者として想定される乳幼児は、一般に、腹部がぽっこりと出た体型をしているため、本実施形態のように、前側ベルト部２０による腹部の局所的な締め付けを抑えることにより、着用時の不快感を生じにくくすることができる。
【００６３】
＜おむつ１着用時のフィット性について＞
続いて、おむつ１を着用する際のフィット性について、説明する。おむつ１の着用時におけるフィット性には、サイドフラップＳＦに設けられた内側弾性部材１８が発現している伸縮性、及び、防漏壁部５０の構造が大きく影響する。図４は、防漏壁部５０の接合領域５５，５６，５７、及び、内側弾性部材１８の配置を示す概略平面図である。図５は、図４のＡ−Ａ断面についておむつ１着用時の状態を表した概略断面図である。図６は、図４のＢ−Ｂ断面についておむつ１着用時の状態を表した概略断面図である。図７は、図４のＣ−Ｃ断面についておむつ１着用時の状態を表した概略断面図である。図８は、内側弾性部材１８と吸収性コア１１Ａのくびれ部１１ＡＣとの関係について説明する図である。なお、図４及び図８では、図２と同様におむつ１を展開かつ伸長させた状態について示している。
【００６４】
先ず、上下方向（吸収性本体１０の長手方向）において第２接合領域５６（５６ｆ，５６ｄ）が形成されている領域では、図６に示されるように、防漏壁部５０の左右方向の内側端部（内側端５０ｉｓ）が吸収性本体１０に接合されているため、防漏壁部５０は起立不能となっている。すなわち、防漏壁部５０は、第２接合領域５６ｆ、５６ｂが設けられている領域において起立不能に固定されている。
【００６５】
次に、少なくとも前記前後方向の中央よりも前側において第３接合領域５７が設けられている領域中の或る位置（第１位置とする）では、図６に示されるように、第３接合領域５７の内側端５７ｉｓを第１起立起点として防漏壁部５０の内側端５０ｉｓが肌側に起立する。このとき、防漏壁部５０が起立可能な最大の高さを第１起立高さＨ５７とする。第１起立高さＨ５７は、第１起立起点から防漏壁部５０の起立先端までの距離で表わされる。すなわち、第１起立高さＨ５７は、図４の左右方向においては、第３接合領域５７の内側端５７ｉｓと防漏壁部５０の内側端５０ｉｓとの間の距離となる。
【００６６】
また、図６では、サイドフラップＳＦの左右方向の内側端部において内側弾性部材１８による収縮力が作用することにより、サイドフラップＳＦ及び防漏壁部５０が着用者の肌側に持ち上げられている。したがって、内側弾性部材１８による収縮力が発現している領域では、防漏壁部５０の起立起点（第１起立起点）、及び、サイドフラップＳＦの左右方向の内側端部が着用者の鼠径部に沿って密着しやすくなりフィット性が高まると共に、尿等の排泄物が漏出することを抑制しやすくなる。
【００６７】
そして、第１位置よりも前後方向の後側において第３接合領域５７が設けられておらず、第１接合領域５５が設けられている領域中の或る位置（第２位置とする）では、図７に示されるように、第１接合領域５５の内側端５５ｉｓを第２起立起点として防漏壁部５０の内側端５０ｉｓが肌側に起立する。このとき、防漏壁部５０が起立可能な最大の高さを第２起立高さＨ５５とする。第２起立高さＨ５５は、第２起立起点から防漏壁部５０の起立先端までの距離で表わされる。すなわち、第２起立高さＨ５５は、図４の左右方向においては、第１接合領域５５の内側端５５ｉｓと防漏壁部５０の内側端５０ｉｓとの間の距離となる。
【００６８】
なお、図７では、内側弾性部材１８による伸縮性が発現していない、若しくは内側弾性部材１８による伸縮性が発現している部分が小さい。そのため、図６の場合と異なり、サイドフラップＳＦ及び防漏壁部５０は肌側に持ち上げられていない。
【００６９】
このようにおむつ１では、前後方向前側の領域（第１位置）においては、内側弾性部材１８による伸縮性が広い範囲に作用する。一方、前後方向後側の領域（第２位置）においては、内側弾性部材１８による伸縮性が作用する範囲が狭い、若しくは伸縮性が作用していない。つまり、所定位置ＦＬよりも前側において内側弾性部材１８の伸縮性が発現している部分の上下方向における長さが、所定位置ＦＬよりも後側において内側弾性部材１８の伸縮性が発現している部分の上下方向における長さよりも長い。
【００７０】
また、図４から明らかなように、第１起立起点（５７ｉｓ）は、第２起立起点（５５ｉｓ）よりも左右方向の内側に位置している。したがって、左右方向において、第３接合領域５７の内側端５７ｉｓと防漏壁部５０の内側端５０ｉｓとの間の距離は、第１接合領域５５の内側端５５ｉｓと防漏壁部５０の内側端５０ｉｓとの間の距離よりも短くなる。これにより、おむつ１では、前後方向前側の第１位置における防漏壁部５０の起立可能高さ（第１起立高さＨ５７）を、第１位置よりも後側の第２位置における防漏壁部５０の起立可能高さ（第２起立高さＨ５７）よりも低くすることができる。
【００７１】
したがって、上述の第１位置を含むおむつ１の前側（おむつ１着用時における腹側）では、内側弾性部材１８の伸縮性によってサイドフラップＳＦが着用者の鼠径部に沿ってフィットしやすくなり、また、防漏壁部５０が起立起点（第１起立起点）から肌側に持ち上げられやすくなる。そして、この領域では防漏壁部５０の最大起立可能高さＨ５７が低く抑えられている。このため、防漏壁部５０が肌側に持ち上げられたとしても、防漏壁部５０が起立途中で折れ曲がったり、着用者の身体と吸収体１１との間に大きな隙間が生じたりすることが抑制される。これにより、尿等の排泄物が漏出しにくくなる。
【００７２】
一方、上述の第２位置を含むおむつ１の後側（おむつ１着用時における臀部側）では、内側弾性部材１８による伸縮性がほぼ作用していないため、サイドフラップＳＦは肌側に持ち上げられにくい。これにより、臀部側において、おむつ１のフィット性を高めることができる。着用者の身体の臀部側は腹側と比較して凹凸が大きいことから、仮に、臀部側においてサイドフラップＳＦが肌側に持ち上げられると、締め付けが強くなって着用者に不快感を生じさせるおそれがある。また、サイドフラップＳＦの位置が臀部の凸部から凹部へ位置ずれを生じ、例えば着用者が身体を動かした際に、臀部の割れ目側に食い込みやすくなる。これに対して、臀部側においてサイドフラップＳＦが肌側に持ち上げられないようにすることにより、締め付けが強すぎたり、位置ずれが生じたりすることが抑制される。したがって、臀部側においては、内側弾性部材１８による伸縮性を作用させ難くすることにより、着用時のフィット性を向上させることができる。
【００７３】
なお、図４では、内側弾性部材１８の伸縮性が発現している領域のうち、長手方向（上下方向）における後側端１８ｅｂが、所定位置ＦＬとほぼ同じ位置にあるが、後側端１８ｅｂが所定位置ＦＬよりも前側に位置していても良い。この場合、臀部側において、内側弾性部材１８による伸縮性がより作用しにくくなるため、上述のように臀部側におけるフィット性をより向上させることができる。さらに、サイドフラップＳＦや防漏壁部５０が肌側に持ち上げられる範囲が狭くなるため、おむつ１の着用する（着用させる）際に、着用者の脚を脚回り開口１ＨＬに通したときに、着用者の脚が防漏壁部５０等に引っ掛かりにくくなる。したがって、おむつ１をより着用しやすくすることができる。
【００７４】
一方、内側弾性部材１８による伸縮性が発現している領域の後側端１８ｅｂが、所定位置ＦＬと同じ位置、若しくは所定位置ＦＬよりも後側に配置されていても良い。この場合、所定位置ＦＬにおいて防漏壁部５０及びサイドフラップＳＦが肌側に持ち上げられることにより、着用者の股下において、吸収体１１が着用者の肌側に引き上げられやすくなる。吸収体１１が尿等の排泄物を吸収すると、重量が増加して垂れ下がりやすくなり、着用者に違和感を生じさせる場合がある。特に、乳幼児等の着用者対象者が、自分で立ち上がったり歩いたりすることができる場合には、吸収体１１が垂れ下がることによって、不快感の原因となったり排泄物の横漏れを生じたりするおそれがある。このような場合には、所定位置ＦＬに内側弾性部材１８による収縮力を作用させることにより、股下部において防漏壁部５０や吸収体１１が肌側（上側）に引き上げられやすくするようにすると良い。
【００７５】
そして、上述のいずれの場合であっても、内側弾性部材１８による伸縮性が発現している領域の後側端１８ｅｂは、吸収性コア１１Ａに設けられたくびれ部１１ＡＣの後側上端（すなわち、後側におけるくびれ開始位置）１１ＡＣｂよりも上下方向の下側（長手方向の前側）に位置していることが望ましい。図８では、内側弾性部材１８の後側端１８ｅｂが、くびれ部１１ＡＣの後側上端１１ＡＣｂよりもＬｂだけ上下方向の下側（長手方向の前側）に位置している。おむつ１着用時において、内側弾性部材１８による収縮力が作用する範囲を吸収性コア１１Ａ（吸収性コア１１Ａの外縁）からなるべく遠ざけることにより、吸収性コア１１Ａを左右方向（幅方向）や上下方向（長手方向）に収縮させにくくすることができる。これにより、着用者の臀部が吸収性コア１１Ａによって広く覆われやすくなり、臀部におけるフィット性を向上させることができる。
【００７６】
また、内側弾性部材１８による伸縮性が発現している領域の前側端１８ｅｆは、吸収性コア１１Ａに設けられたくびれ部１１ＡＣの前側上端（すなわち、前側におけるくびれ開始位置）１１ＡＣｆよりも上下方向の下側（長手方向の後側）に位置していることが望ましい。図８では、内側弾性部材１８の前側端１８ｅｆが、くびれ部１１ＡＣの前側上端１１ＡＣｆよりもＬｆだけ上下方向の下側（長手方向の後側）に位置している。図８に示されるように、この領域は、前側ベルト部２０とも重複する領域であり、おむつ１着用時には着用者の腹部と当接する部位である。したがって、当該領域においても吸収性コア１１Ａを左右方向（幅方向）や上下方向（長手方向）に収縮させにくくすることで、着用者の腹部に対して吸収性コア１１Ａが面でフィットしやすくなり、腹部におけるフィット性を向上させることができる。また、吸収性本体１０のうち剛性の高い吸収性コア１１Ａと重複しない領域において内側弾性部材１８による伸縮性が発現しているため、比較的剛性の低いサイドフラップＳＦや防漏壁部５０の変形が妨げられにくく、該サイドフラップＳＦや防漏壁部５０がより肌側に持ち上げられやすくなる。
【００７７】
なお、図３に示されるように、内側弾性部材１８による伸縮性が発現している部分の少なくとも一部は、前側ベルト部２０に設けられた胴回り弾性部材２３と交差している。そのため、おむつ１の着用時には、胴回り弾性部材２３の収縮力によって、内側弾性部材１８の前側端１８ｅｆが上下方向の上側かつ、左右方向の外側に引っ張られる。したがって、内側弾性部材１８を介して吸収性本体１０も上方に引き上げられるようになる。これにより、吸収性コア１１Ａが下側にずり落ち難くなると共に、サイドフラップＳＦや防漏壁部５０を着用者の肌側に持ち上げる効果が大きくなる。
【００７８】
また、図８に示されるように、内側弾性部材１８の前側端１８ｅｆとくびれ部１１ＡＣの前側上端１１ＡＣｆとの間の距離Ｌｆは、内側弾性部材１８の後側端１８ｅｂとくびれ部１１ＡＣの後側上端１１ＡＣｂとの間の距離Ｌｂよりも短い（Ｌｆ＞Ｌｂ）。したがって、内側弾性部材１８による伸縮性の影響は、臀部側ではより作用しにくく、腹側でより作用しやすくなる。すなわち、臀部側では内側弾性部材１８による締め付けが緩くなり、また、吸収性コア１１Ａが面形状を維持しやすくなるため、着用者の臀部側におけるフィット性が向上する。一方、腹側では吸収性コア１１Ａのくびれ部１１ＡＣの広い範囲に亘って内側弾性部材１８による収縮力が作用するため、防漏壁部５０等が肌側に持ち上げられやすくなり、フィット性が向上する。
【００７９】
また、上述したように、おむつ１では、前後方向前側の第１位置において、防漏壁部５０が起立可能な高さ（第１起立高さＨ５７）を低く抑えつつ、防漏壁部５０自体を内側弾性部材１８の収縮力によって肌側に持ち上げることができる。したがって、防漏壁部５０が倒れたり折れ曲がったりしにくく、尿等を吸収体１１に吸収させやすくすることができる。一方、前後方向後側の第２位置においては、防漏壁部５０が起立可能な高さ（第２起立高さＨ５5）が高くなり、かつ、防漏壁部５０自体が持ち上げられにくいため、着用者の身体と吸収体１１との間に大きな空間が形成される。しがって、臀部側において便が排泄された場合であっても、当該空間に便が保持されるため、便の漏れ等を生じ難くすることができる。
【００８０】
なお、所定位置ＦＬよりも前側における第３接合領域５７の上下方向（長手方向）の長さは、所定位置ＦＬよりも後側における第３接合領域５７の上下方向（長手方向）の長さよりも長い。すなわち、第３接合領域５７を起立起点（第１起立起点）として防漏壁部５０が起立可能な領域は、所定位置ＦＬよりも前側において広くなる。言い換えると、前側において防漏壁部５０を低く起立させる領域を広くすることができる。これにより、おむつ１では前側において吸収体１１と着用者の身体との間隔を狭くしつつ、防漏壁部５０が折れ曲がったりすることなくしっかり起立させやすくなる。したがって、前側における尿漏れを抑制しやすくなる。
【００８１】
なお、おむつ１の着用時に内側弾性部材１８による収縮力が作用した場合、図６に示されるように、サイドフラップＳＦのうち、該内側弾性部材１８が設けられている部分よりも左右方向の外側の領域が肌側に持ち上げられる。本実施形態では、左右方向において第１接合領域５５よりも内側に内側弾性部材１８が設けられている。この第１接合領域５５は、防漏壁部５０が肌側に起立する際に左右方向の最も外側における起立起点（第２起立起点）となる位置である。したがって、内側弾性部材１８の収縮力によって、第１接合領域５５が肌側に持ち上げられることにより、防漏壁部５０自体も肌側に持ち上げられやすくなる。これにより、フィット性を向上させることができる。
【００８２】
さらに、本実施形態では、左右方向において第３接合領域５７よりも内側に内側弾性部材１８が設けられている。第３接合領域５７は、防漏壁部５０が肌側に起立する際に左右方向の最も内側における起立起点（第１起立起点）となる位置である。したがって、内側弾性部材１８が第３接合領域５７よりも左右方向の内側に配置されていることにより、内側弾性部材１８による収縮力が作用したときに、防漏壁部５０の全体が肌側に持ち上げられやすくなる。これにより、フィット性がより向上し、排泄物が漏出することを抑制しやすくなる。
【００８３】
また、着用者の臀部側において吸収性本体に便を保持できる空間を十分に確保させるために、内側弾性部材１８の後側端１８ｅｂは、上下方向において、後側第２接合領域５６ｂの下端（前後方向における前側端）５６ｂｅｆと吸収性本体１０の下端（所定位置ＦＬ）との中間位置ＦＣよりも下側（前後方向の前側）に位置していることが望ましい。このような構成であれば、おむつ１の後側において防漏壁部５０が起立可能な領域（すなわち、後側第２接合領域５６ｂの下端５６ｂｅｆと所定位置ＦＬとの間の領域）のうち、少なくとも半分の領域では内側弾性部材１８による伸縮力が作用しなくなる。これにより、当該領域では防漏壁部５０の起立基部が肌側に持ち上げられないため、着用者の身体と吸収体１１との間の間隔を広く保つこと可能となり、便を保持できる空間を広く形成することができる。
【００８４】
さらに、内側弾性部材１８の後側端１８ｅｂは、第３接合領域５７の後側端５７ｅｂよりも前側に位置していることが望ましい。このようにすれば、第３接合領域５７を起立起点として、防漏壁部５０の起立高さ（Ｈ５５）が低く抑えられる領域にのみ、内側弾性部材１８による収縮力が作用するようになる。すなわち、第１接合領域５５を起立起点として、防漏壁部５０の起立高さ（Ｈ５７）が高くなる部分では、防漏壁部５０の起立基部が肌側に持ち上げられにくくなる。これにより、おむつ１のフィット性を向上させやすくすることができる。
【００８５】
このとき、第３接合領域５７の後側端５７ｅｂは所定位置ＦＬよりも前側に位置していることが望ましい。このようにすれば、おむつ１の後側において防漏壁部５０の起立高さ（Ｈ５５）が低くなってしまうことが抑制される。そして、おむつ１の後側では内側弾性部材１８による収縮力が作用せず、防漏壁部５０の起立基部が肌側に持ち上げられにくくなっているため、おむつ１の後側において便を保持できる空間をより広く形成しやすくなる。
【００８６】
＜防漏壁部５０の変形例＞
おむつ１の防漏壁部５０は以下のように変形することもできる。図９Ａ〜図９Ｃは、防漏壁部５０の変形例について説明する図である。同図９Ａ〜図９Ｃは、変形例における吸収性本体１０の概略断面図を示しており、それぞれ図５〜図７に対応する状態について表した図である。
【００８７】
変形例の防漏壁部５０は、防漏壁シート５１の左右方向の外側端部が左右方向の内側に折り返されて吸収体１１の下側（非肌側）に配置されている。そして、第１接合領域５５が、吸収体１１とバックシート１３（サイドフラップＳＦ）との厚さ方向の間に設けられている。なお、接合領域５５〜５７の上下方向（前後方向）における配置は、それぞれ上述の実施形態と同様である（図３参照）。また、内側弾性部材１８の配置やおむつ１のその他の構成についても、上述の実施形態と同様である。
【００８８】
このような構成であっても、防漏壁部５０の起立高さを適当に調整しつつ、内側弾性部材１８の収縮力によってサイドフラップＳＦや防漏壁部５０を肌側に持ち上げることができる。すなわち、上下方向において第２接合領域５６が設けられておらず、第３接合領域５７が設けられている領域では、防漏壁部５０が第３接合領域５７を起立起点として肌側に起立可能となる（図９Ｂ参照）。このとき、防漏壁部５０が起立可能な高さＨ５７は、Ｈ５５よりも低くなる。そして、内側弾性部材１８の収縮力の作用によって防漏壁部５０やサイドフラップＳＦが肌側に持ち上げられるようになる。これにより、前側の領域においておむつ１のフィット性が向上し、尿漏れ等を抑制しやすくなる。なお、第２接合領域５６が設けられている領域では防漏壁部５０が起立不能に固定される（図９Ａ参照）。
【００８９】
一方、第３接合領域５７が設けられていない領域では、第１接合領域５５を起立起点として防漏壁部５０が肌側に起立可能となる（図９Ｃ参照）。このとき、防漏壁部５０の起立可能な高さＨ５５である。そして、この領域では内側弾性部材１８の収縮力が作用しにくいため、防漏壁部５０やサイドフラップＳＦは肌側に持ち上げられない。これにより、後側の領域においてサイドフラップＳＦの位置ずれや過度な締め付けが生じ難くなり、また、着用者の身体と吸収体１１との間に十分に広い空間が確保され、便を保持しやすくなる。
【００９０】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００９１】
上述の実施形態では、前側ベルト部２０の上端部に伸縮性シート２４が配置されていたが、このような構成に限られない。例えば、上下方向における前側ベルト部２０の何れの位置に伸縮性シート２４を配置しても良い。また、後側ベルト部３０が伸縮性シートを有し、前側ベルト部２０が伸縮性シートを有していなくても良いし、前側ベルト部２０と後側ベルト部３０が共に伸縮性シート２４を有していても良い。また、前側ベルト部２０及び後側ベルト部３０のいずれにも伸縮シート２４が設けられていなくても良いし、伸縮シート２４の代わりに胴回り弾性部材２３，２４に相当する糸ゴム等の弾性部材が設けられていても良い。
【００９２】
また、上記の実施形態では、前側ベルト部２０と後側ベルト部３０が分離されて別部材であるおむつを例示したが、前側ベルト部２０と後側ベルト部３０の間に股下部が設けられ、前側ベルト部２０と後側ベルト部３０が連続した一部材であっても良い。
【符号の説明】
【００９３】
１  おむつ（パンツ型吸収性物品）、２  接合領域、
１０  吸収性本体、１０ｅｓ  端（左右方向）、
１１  吸収体、１１ｅｓ  端（左右方向）、
１１Ａ  吸収性コア、
１１ＡＣ  くびれ部、１１ＡＣｂ  後側上端、１１ＡＣｆ  前側上端、
１１Ｂ  コアラップシート、
１２  トップシート、１３  バックシート、
１３ａ  バックフィルム、１３ｂ  外装シート、１３ｂｆ  延出部、
１７  脚回り弾性部材、
１８  内側弾性部材、１８ｅｂ  後側端、１８ｅｆ  前側端、
２０  前側ベルト部（腹側胴回り部）、
２１  内層シート、２２  外層シート、２３  胴回り弾性部材、
２４  伸縮性シート、
３０  後側ベルト部（背側胴回り部）、
３１  内層シート、３２  外層シート、３３  胴回り弾性部材、
５０  防漏壁部、５０ｉｓ  内側端、
５１  防漏壁シート、５２  防漏壁弾性部材、
５５  第１接合領域、５５ｉｓ  内側端、
５６  第２接合領域、
５６ｆ  前側第２接合領域、５６ｆｅｄ  下端、
５６ｂ  後側第２接合領域、５６ｂｅｆ  下端、
５７  第３接合領域、５７ｅｂ  後側端、５７ｉｓ  内側端、
ＢＨ  胴回り開口部、
ＬＨ  脚回り開口部、
ＦＬ  所定位置、
ＳＦ  サイドフラップ、
Ｈ５５  高さ（第２起立高さ）、Ｈ５７  高さ（第１起立高さ）
【図１】
2019198590.tif 000003
【図２】
2019198590.tif 000004
【図３】
2019198590.tif 000005
【図４】
2019198590.tif 000006
【図５】
2019198590.tif 000007
【図６】
2019198590.tif 000008
【図７】
2019198590.tif 000009
【図８】
2019198590.tif 000010
【図９】
2019198590.tif 000011